(57)【要約】【課題】少量の使用で容易に水処理施設の洗浄対象に付着した毛髪等の繊維状物を除去できる洗浄剤組成物を提供すること【解決手段】アルカリ金属水酸化物１２と増粘剤１４との水分散液又は水溶液と、次亜塩素酸アルカリ金属塩１８と、界面活性剤１６と、の混合物である、水処理施設を洗浄するための洗浄剤組成物１０である。これにより、得られる混合物は所定の粘性を有するものとなり、水処理施設の洗浄対象に施された場合に、当該洗浄対象に対する洗浄剤組成物１０の付着性および滞留性が向上し、洗浄性能を向上させることが可能となる。  また、本発明は、本発明の洗浄組成物１０の製造方法、およびこれを用いた水処理施設の洗浄方法、ならびに洗浄組成物１０を容器に充填した洗浄剤物品を提供する。【選択図】図１
2020073693.tif 000002
【特許請求の範囲】
【請求項１】
アルカリ金属水酸化物と増粘剤との水分散液又は水溶液と、
次亜塩素酸アルカリ金属塩と、
界面活性剤と、
の混合物であることを特徴とする水処理施設を洗浄するための洗浄剤組成物。
【請求項２】
アルカリ金属水酸化物と次亜塩素酸アルカリ金属塩と増粘剤との水分散液又は水溶液と、
界面活性剤と、
の混合物であることを特徴とする水処理施設を洗浄するための洗浄剤組成物。
【請求項３】
前記界面活性剤がアルキルアミンオキシドであることを特徴とする請求項１又は２に記載の洗浄剤組成物。
【請求項４】
増粘剤がポリアクリル酸系重合体であることを特徴とする請求項１〜３のいずれか１項に記載の洗浄剤組成物。
【請求項５】
洗浄剤組成物の全体に対して、前記増粘剤が０．０５〜１０質量％含まれることを特徴とする請求項１〜４のいずれか１項に記載の洗浄剤組成物。
【請求項６】
洗浄剤組成物の全体に対して、アルカリ金属水酸化物が０．１〜１０質量％、次亜塩素酸アルカリ金属塩が０．１〜１５質量％、及び増粘剤が０．０５〜１０質量％含まれ、更に水が洗浄剤組成物の全量を１００質量％とする量で含まれることを特徴とする請求項１〜４のいずれか１項に記載の洗浄剤組成物。
【請求項７】
請求項１〜６のいずれか１項に記載の洗浄剤組成物を容器に充填してなる洗浄剤物品。
【請求項８】
アルカリ金属水酸化物と増粘剤とを水に分散又は溶解して、アルカリ金属水酸化物と増粘剤との水分散液又は水溶液を得る分散又は溶解工程と、
前記水分散液又は水溶液に、次亜塩素酸アルカリ金属塩及び界面活性剤を添加する添加工程と、
を有することを特徴とする洗浄剤組成物の製造方法。
【請求項９】
アルカリ金属水酸化物と次亜塩素酸アルカリ金属塩と増粘剤とを水に分散又は溶解して、水分散液又は水溶液を得る分散又は溶解工程と、
前記水分散液又は水溶液に、界面活性剤を添加する添加工程と、
を有することを特徴とする洗浄剤組成物の製造方法。
【請求項１０】
請求項１〜６に記載の洗浄剤組成物を、前記水処理施設の洗浄対象に対して５０〜１０００ｇ／ｍ２の割合で施して洗浄することを特徴とする水処理施設の洗浄方法。
【請求項１１】
前記洗浄対象が、水処理施設のスクリーンであることを特徴とする請求項８に記載の水処理施設の洗浄方法。
【発明の詳細な説明】
【技術分野】
【０００１】
本発明は、水処理施設を洗浄するための洗浄剤組成物、特に下水処理施設における沈砂池スクリーン等に付着した、し渣や夾雑物を洗浄するための洗浄剤組成物、その製造方法、及びこれを用いた洗浄方法に関する。
【背景技術】
【０００２】
下水処理場やポンプ場には、一般に沈砂池が設置される。沈砂池は、下水等の処理対象水中の無機物や比較的大きな浮遊物を除去する目的の池であり、放流水域の汚染や土砂の堆積を防止し、ポンプ及び処理施設の摩耗や閉塞を防ぎ、処理作業の円滑化における役割を担うものである。
【０００３】
更に、沈砂池には、原則的にスクリーン（特に柵状のバースクリーン）が設けられ、下水中に浮遊するごみが堰き止められ、回収される。
【０００４】
下水処理場のスクリーンには粗目スクリーン、細目スクリーン等の種類があるが、下水に混入する雑多な浮遊性の夾雑物を、まずは前段に設けられた粗目スクリーンにて大まかに除去し、さらに後段に設けられた細目スクリーンにて再度除去するのが一般的である。
【０００５】
細目スクリーンの目幅は１５〜２５ｍｍ程度であるため、夾雑物の捕捉を有効に行う一方で、閉塞も生じやすい傾向にある。いわゆる「スクリーンかす」によるスクリーンの全体又は部分的な閉塞と、これによる流速の低下するのを防ぐためには、スクリーンの定期的な洗浄が必要とされる。このための洗浄方法としては水槽内を機械的撹拌してスクリーンかすと沈渣に分離する羽根車撹拌式と、水槽内に設けられた散気装置で空気撹拌してスクリーンかすと沈渣に分離する空気撹拌式がある。
【０００６】
いずれの方法でもスクリーンかすは、ある程度は除去できるものの、バースクリーンに絡みついた毛髪等の繊維状物は上記方法のみで完全に除去することは困難である。
【０００７】
毛髪等の繊維状物を除去するための確実な方法は、現在に至っても、人手での除去作業に頼るところが大きい。
【０００８】
この他の方法としては、アルカリ性水溶液を、ジョウロなどを使用して散布する方法がある。
【０００９】
さらには、アルカリ性洗浄液に有機系増粘剤を混合してゲル状にしたろ布洗浄剤が提案されている（特許文献１）。
【００１０】
この他、次亜塩素酸アルカリ金属塩、界面活性剤、アルカリ金属水酸化物、水を含有するぬめり除去剤が、台所洗面所、浴室、便所等の水回りに発生する「ぬめり」を除去するものとして存在している（特許文献２）。
【先行技術文献】
【特許文献】
【００１１】
【特許文献１】特公平７−３７６３７公報
【特許文献２】特開２００３−５５６９８公報
【発明の概要】
【発明が解決しようとする課題】
【００１２】
上述の方法のうち、バースクリーンに絡みつた毛髪に対して、アルカリ性水溶液を、ジョウロなどを使用して散布する方法では、毛髪を含む汚れの箇所に洗浄液が留まらず直ぐに流れ落ちてしまうので、洗浄液の大部分が無駄になり、毛髪の除去も極めて不完全なものとなる。
【００１３】
また、洗浄を十分にしようとすると多量のアルカリ性洗浄液が必要とされるため、アルカリ性水溶液下水処理場への流入、更には洗浄液自体の処理の問題が生ずる。
【００１４】
さらに、特許文献１記載のろ布洗浄剤は、ろ布及びろ布周辺装置の腐食を回避しつつ洗浄を行うことを目的とすることから、その洗浄力は比較的穏やかであり、毛髪などの溶解困難な汚れ及びごみに対しては十分なものではない。
【００１５】
更に、特許文献２記載のぬめり除去剤は、次亜塩素酸アルカリ金属塩、界面活性剤、アルカリ金属水酸化物、及び水を含有するものであるが、主に住居やオフィス等の台所、洗面所等のタンパク質成分由来のぬめり除去を対象としており、毛髪などの繊維状物の除去は困難である。
【００１６】
このような現状においては、前述した様に、バースクリーンに絡みついた毛髪等の繊維状物は薬剤による除去は殆ど行われておらず、人手で取り除いているため、清掃作業や交換作業には多大な労力とコストを要している。さらに、人手による作業中には下水処理設備等の運転を一時的に休止しなければならないといった問題がある。
【００１７】
本発明は、上記の現状に鑑みて少量の使用で容易に水処理施設の洗浄対象に付着した毛髪等の繊維状物を除去できる洗浄剤組成物を提供することを目的とするものである。
【課題を解決するための手段】
【００１８】
上記目的を達成するための請求項１に記載の発明は、水処理施設を洗浄するための洗浄剤組成物であって、アルカリ金属水酸化物と増粘剤との水分散液又は水溶液と、次亜塩素酸アルカリ金属塩と、界面活性剤と、の混合物であることを特徴とする。
【００１９】
この構成によれば、アルカリ金属水酸化物及び増粘剤の水分散液または水溶液と界面活性剤とが混合されることとなるから、得られる混合物は所定の粘性を有するものとなる。これにより、水処理施設の洗浄対象に施された場合に、当該洗浄対象に対する洗浄剤組成物の付着性および滞留性が向上し、洗浄性能を向上させることが可能となる。
【００２０】
また、上記目的は、アルカリ金属水酸化物と次亜塩素酸アルカリ金属塩と増粘剤との水分散液又は水溶液と、界面活性剤と、の混合物であることを特徴とする水処理施設を洗浄するための洗浄剤組成物によっても達成される。
【００２１】
この構成によれば、アルカリ金属水酸化物、次亜塩素酸アルカリ金属塩及び増粘剤の水分散液または水溶液と界面活性剤とが混合されることとなるから、得られる混合物は所定の粘性を有するものとなる。これにより、水処理施設の洗浄対象に施された場合に、当該洗浄対象に対する洗浄剤組成物の付着性および滞留性が向上し、洗浄性能を向上させることが可能となる。
【００２２】
本発明に係る洗浄剤組成物の好ましい態様は以下の通りである。
【００２３】
（１）界面活性剤がアルキルアミンオキシドである。
（２）増粘剤がポリアクリル酸系重合体である。
（３）洗浄剤組成物の全体に対して、前記増粘剤が０・０５〜１０質量％含まれる。
（４）洗浄剤組成物の全体に対して、アルカリ金属水酸化物が０．１〜１０質量％、次亜塩素酸アルカリ金属塩が０．１〜１５質量％、及び増粘剤が０．０５〜１０質量％含まれ、更に水が洗浄剤組成物の全量を１００質量％とする量で含まれる。
【００２４】
さらに、上記目的は、上記洗浄剤組成物を容器に充填してなる洗浄剤物品によっても達成される。
【００２５】
また、上記目的は、アルカリ金属水酸化物と増粘剤とを水に分散又は溶解して、アルカリ金属水酸化物と増粘剤との水分散液又は水溶液を得る分散又は溶解工程と、前記水分散液又は水溶液に、次亜塩素酸アルカリ金属塩及び界面活性剤を添加する添加工程と、を有することを特徴とする洗浄剤組成物の製造方法によっても達成される。
【００２６】
この構成によれば、アルカリ金属水酸化物および増粘剤の水分散液または水溶液と界面活性剤とが混合されることとなるから、得られる混合物は所定の粘性を有するものとなる。これにより、水処理施設の洗浄対象に施された場合に、当該洗浄対象に対する洗浄剤組成物の付着性および滞留性が向上し、洗浄性能を向上させることが可能となる。
【００２７】
そのうえ、上記目的は、アルカリ金属水酸化物と次亜塩素酸アルカリ金属塩と増粘剤とを水に分散又は溶解して、水分散液又は水溶液を得る分散又は溶解工程と、前記水分散液又は水溶液に、界面活性剤を添加する添加工程と、を有することを特徴とする洗浄剤組成物の製造方法。
【００２８】
この構成によれば、アルカリ金属水酸化物、次亜塩素酸アルカリ金属塩及び増粘剤の水分散液または水溶液と界面活性剤とが混合されることとなるから、得られる混合物は所定の粘性を有するものとなる。これにより、水処理施設の洗浄対象に施された場合に、当該洗浄対象に対する洗浄剤組成物の付着性および滞留性が向上し、洗浄性能を向上させることが可能となる。
【００２９】
また、上記目的は、上記洗浄剤組成物を、前記水処理施設の洗浄対象に対して５０〜１０００ｇ／ｍ２の割合で施して洗浄することを特徴とする水処理施設の洗浄方法によっても達成される。
【００３０】
本発明に係る水処理施設の洗浄方法の好ましい態様は以下の通りである。
【００３１】
（１）洗浄対象が、水処理施設のスクリーンである。
【発明の効果】
【００３２】
本発明の洗浄剤組成物は、アルカリ金属水酸化物及び増粘剤を含む均一な水分散液または水溶液と、次亜塩素酸アルカリ金属塩と、界面活性剤と、の混合物として構成され、主に水処理施設（施設内の機器及び部品含む）を洗浄するために使用される。本発明の洗浄剤組成物は、スクリーンや周辺装置の垂直面や傾斜面への洗浄剤組成物の付着性や滞留性に優れ、水処理施設における夾雑物の他、毛髪等の繊維状物の除去、すなわち洗浄性能において優れた効果を発揮する。特に、少量の洗浄剤組成物により上記の効果が得られるために、価格性能比が良好であるうえ、環境への影響も少ない。
【００３３】
さらに、本発明の洗浄剤組成物は、洗浄剤組成物の製造方法により製造される。このような製造方法を採用することにより、本発明の洗浄剤組成物が上記の効果を有するものとされる。
【００３４】
また、本発明の洗浄方法により、本発明の洗浄組成物による上記の効果が奏される。
【図面の簡単な説明】
【００３５】
【図１】本発明の実施の形態に係る洗浄剤組成物の製造方法を説明するためのフローチャートである。
【図２】洗浄剤組成物の製造方法の他の例を説明するためのフローチャートである。
【発明を実施するための形態】
【００３６】
次に、本発明の実施の形態について図１に基づいて詳細に説明する。図１は、本実施の形態に係る洗浄組成物の製造方法を説明するためのフローチャートである。図示のように、所定の工程を経て本実施の形態に係る洗浄剤組成物１０は製造される。
【００３７】
洗浄剤組成物１０は、水処理施設を洗浄するための洗浄剤組成物である。
【００３８】
本発明において洗浄の対象とされる水処理施設とは、水処理（特に下水処理）を行う施設の設備全般を意味し、スクリーン設備及び汚水沈砂設備のごみや夾雑物が付着する箇所、特に汚水沈砂設備のスクリーン、自動除塵機、現場盤、コンベヤ、ホッパ、及びこれらの各部品を包括的に意味するものである。
【００３９】
また、本実施の形態において、図１に示すように、洗浄剤組成物１０は、アルカリ金属水酸化物１２及び増粘剤１４が水に均一に分散された水分散液又は水溶液と、次亜塩素酸アルカリ金属塩１８と、界面活性剤１６と、の混合物である。
【００４０】
次亜塩素酸アルカリ金属塩１８は、次亜塩素酸ナトリウムや次亜塩素酸カリウムが挙げられる。次亜塩素酸アルカリ金属塩の配合量は０．１〜１０質量％、好ましくは０．５〜８質量％である。次亜塩素酸アルカリ金属塩の配合量が０．５質量％未満では毛髪溶解力が不十分となる。一方、１０質量％を超えると塩素臭が強くなり作業環境が悪化するので好ましくない。
【００４１】
アルカリ金属水酸化物１２は、次亜塩素酸アルカリ金属塩の安定化に必要なものである。具体的には水酸化ナトリウム、水酸化カリウムが挙げられる。アルカリ金属水酸化物の配合量は０．１〜１５質量％、好ましくは０．５〜１０質量％である。アルカリ金属水酸化物の配合量が０．１質量％未満では洗浄剤としての保存安定性が不十分となり洗浄に長時間を要するようになる。一方、１５質量％を超えると経済的に好ましくない。
【００４２】
界面活性剤１６は、洗浄剤組成物１０のスクリーンかす表面全体への均一広がり性を十分に発揮させる。
【００４３】
なお、スクリーンかすとは、水処理施設のスクリーン等の設備に付着する夾雑物をいい、水処理施設がし尿処理場や下水処理場である場合には、し渣ともいう。
【００４４】
本発明で使用可能な界面活性剤１６として好ましいものは、下記式（Ｉ）で表されるアルキルアミンオキシドである。
【００４５】
【化１】
2020073693.tif 000003
【００４６】
（式中、Ｒ１は、炭素数１〜３０のアルキル又はアルケニル基であり、Ｒ２及びＲ３は各々独立して炭素数１〜４のアルキル基である。）
【００４７】
本発明に従い用いられるアミンオキシドの、Ｒ１は炭素原子１〜３０、好ましくは１〜２０、更に好ましくは８〜１４の炭素原子を含む飽和あるいは不飽和、置換あるいは非置換、直鎖あるいは分岐鎖アルキル基である。Ｒ２およびＲ３は、炭素原子を含む飽和あるいは不飽和、置換あるいは非置換、直鎖あるいは分岐鎖アルキル基である。
【００４８】
式（Ｉ）で表される化合物の具体例としては、ラウリルジメチルアミンオキシド、デシルジメチルアミンオキシド、ミリスチルジメチルアミンオキシド、カプロイルアミノプロピルジメチルアミンオキシド、ラウロイルアミノプロピルジメチルアミンオキシド、ミリスチロイルアミノプロピルジメチルアミンオキシド、ヤシアルキルジメチルアミンオキシド、ラウリル−ビス（２−ヒドロキシエチル）アミンオキシド、ミリスチル-ビス（２−ヒドロキシエチル）アミンオキシド、ヤシアルキル-ビス（２−ヒドロキシエチル）アミンオキシド等のアミンオキシドが挙げられる。
【００４９】
アルキルアミンオキシドは一種を単独で用いても良いし、二種以上を混合して使用してもよい。これらの中でも特に洗浄性能、発泡性能の点からラウリルジメチルアミンオキシド、ミリスチルジメチルアミンオキシド、ヤシアルキルジメチルアミンオキシドが好ましい。
【００５０】
界面活性剤１６の配合量は、本発明の組成物の全質量を基準として０．０１〜１０質量％、好ましくは０．１〜５質量％である。０．０１重量％未満であると洗浄剤組成物１０のスクリーンかす表面全体への広がりが遅くなり洗浄が不十分となる。一方、１０重量％を超えると、洗浄剤組成物１０全体の均一性が悪化し分離してしまうので好ましくない。
【００５１】
さらに、上記界面活性剤１６以外に、本発明の目的を阻害しない範囲内でアルキルジメチルベタインのような他の界面活性剤を併用してもよい。適当なアルキルジメチルベタインの例は、ココナツジメチルベタイン、ラウリルジメチルベタイン、デシルジメチルベタイン、２‐(Ｎ‐デシル‐Ｎ，Ｎ‐ジメチル‐アンモニア)アセテート、２‐(Ｎ‐ココＮ，Ｎ‐ジメチルアンモニオ)アセテート、ミリスチルジメチルベタイン、パルミチルジメチルベタイン、セチルジメチルベタイン、ステアリルジメチルベタインである。
【００５２】
増粘剤１４は、水処理施設の洗浄対象に施された洗浄剤組成物１０の安定性や付着性を増加させるために添加されるポリマーである。洗浄剤組成物１０は増粘剤１４が配合されることで、スクリーンや周辺装置の垂直面や傾斜面への付着性や滞留性が向上し、洗浄性能が向上することとなる。
【００５３】
増粘剤１４としては、上述したアルカリ金属水酸化物１２と混合された強アルカリ性下において洗浄剤組成物をクリーム状にできるものであればどのようなものであってもよいが、有機系増粘剤、例えば、アラビアゴム、ドラガントゴム等の植物ゴム及びアルギン酸、フノリ等の海藻類などの天然系有機増粘剤、メチルセルロース、エチルセルロース、カルボキシメチルセルロース、ヒドロキシエチルセルロースなどの半合成系有機増粘剤、酢酸ビニル−アクリル酸エステル共重合物、酢酸ビニル−無水マレイン酸共重合物、イソブチレン−無水マレイン酸、ポリアクリル酸ナトリウム、ポリアクリル酸、アクリル酸−ビニルアルコール共重合物、アクリル酸−デンプン共重合物、ポリエチレンオキサイド、ポリエチレンイミン、ポリビニルアルコール、ビニルアルコール−マレイン酸エステル共重合物などの合成系有機増粘剤が挙げられる。
【００５４】
上記の例示した増粘剤の中では、洗浄対象であるスクリーンドラム等への付着性の点から、ポリアクリル酸ソーダ、ポリアクリル酸、アクリル酸−ビニルアルコール共重合物、アクリル酸−デンプン共重合物等のアクリル酸系重合体が好ましい。
【００５５】
増粘剤１４の配合量は、０．０５〜１０質量％、好ましくは０．１〜５質量％である。０．０５％質量以上配合することにより、スクリーンや周辺装置の垂直面や傾斜面への付着性や滞留性を向上させることが可能となる。配合量が１０質量％を超えると洗浄剤組成物１０の粘度が高くなり過ぎるため、均一広がり性が悪化したり、充填される容器からの吐出が困難になるという問題を生じることがある。
【００５６】
次に、本実施の形態に係る洗浄剤組成物１０の製造方法について、図１を参照して説明する。
【００５７】
［分散または溶解工程］
まず、図示しない撹拌槽に蒸留水（水）が投入される。次に、適切な撹拌手段によって撹拌される蒸留水中にアルカリ金属水酸化物１２と増粘剤１４が添加され、アルカリ金属水酸化物１２が蒸留水中に溶解し、且つ増粘剤１４が蒸留水中に均一に分散または溶解するまで撹拌手段による撹拌が行われる。すなわち、撹拌の結果、アルカリ金属水酸化物１２及び増粘剤１４が蒸留水中に均一に分散若しくは溶解した水分散液又は水溶液が得られる（以上、分散または溶解工程）。
【００５８】
［添加工程］
アルカリ金属水酸化物１２及び増粘剤１４の水分散液又は水溶液に次亜塩素酸アルカリ金属塩１８及び界面活性剤１６が添加され、さらに撹拌が行われる。添加された次亜塩素酸アルカリ金属塩１８と界面活性剤１６が均一に混合するまで撹拌が行われ、洗浄剤組成物１０が得られる（以上、添加工程）。
【００５９】
したがって、得られた洗浄剤組成物１０は、アルカリ金属水酸化物１２及び増粘剤１４の水分散液または水溶液と、次亜塩素酸アルカリ金属塩１８と、界面活性剤１６と、の混合物である。
【００６０】
洗浄剤組成物１０は、容器に充填されて洗浄剤物品となる。容器としては、洗浄剤組成物１０を噴霧可能なスプレー容器、直接搾り出し可能なチューブ容器、塗布に用いる刷毛等を挿入可能な広口容器等が挙げられる。
【００６１】
次に、本実施の形態に係る洗浄組成物１０を用いた水処理施設の洗浄方法を、洗浄組成物１０を洗浄対象である柵状のバースクリーン（スクリーン）に施す場合を例に説明する。
【００６２】
洗浄組成物１０は、水処理施設のバースクリーンに対して、５０〜１０００ｇ／ｍ２の割合で施される。施す方法としては、耐アルカリ性の刷毛を用いた直接塗布やスプレー塗布が挙げられるが、この限りではなく、種々のやり方で行うことができる。バースクリーンは、施された洗浄組成物１０が表面に付着した状態で１０分から１時間程度静置される。
【００６３】
その後、水処理施設の洗浄対象の表面を水洗、好ましくは高圧洗浄によってすすぎ落とすことで、洗浄が完了する。
【００６４】
したがって、本実施の形態によれば、アルカリ金属水酸化物１２及び増粘剤１４を含む均一な水分散液または水溶液、次亜塩素酸アルカリ金属塩１８、並びに界面活性剤１６が混合されることとなるから、得られる混合物は所定の粘度を有するものとなる。
【００６５】
すなわち、アルカリ金属水酸化物１２、増粘剤１４、次亜塩素酸アルカリ金属塩１８、界面活性剤１６が同時に混合させる場合に生じるゲル化の進行や、増粘剤１４を最後に添加した場合に生じる粘度発現不足の問題も解消することができる。
【００６６】
これにより、洗浄剤組成物１０は施された水処理施設の洗浄対象上への付着性および滞留性が向上しており、洗浄性能が向上したものとなっている。
【００６７】
なお、本発明は上記実施の形態に限定されることはなく、発明の趣旨を逸脱しない範囲で種々変更可能である。
【００６８】
例えば、図２に示すように、上記実施の形態の［添加工程］において添加されていた次亜塩素酸アルカリ金属塩１６を、［分散又は溶解工程］において添加することとしても良い。
【００６９】
この場合、得られる洗浄剤組成物３０は、アルカリ金属水酸化物１２、次亜塩素酸アルカリ金属塩１８及び増粘剤１４の水分散液又は水溶液と、界面活性剤１６と、の混合物となる。
【００７０】
洗浄剤組成物３０によっても、アルカリ金属水酸化物１２、次亜塩素酸アルカリ金属塩１８及び増粘剤１４を含む均一な水分散液または水溶液、並びに界面活性剤１６が混合されることとなるから、得られる混合物は所定の粘度を有するものとなる。
【実施例】
【００７１】
以下、本発明をさらに実施例により詳細に説明する。
【００７２】
［実施例１］
１．洗浄剤組成物の調製
水酸化ナトリウム５質量部、ポリアクリル酸１質量部、及び蒸留水９２質量部を、マグネチックスターラー（東京硝子器械株式会社製、Ｆｉｎｅ  Ｆ−６１２）を用いて攪拌し、均一な混合物を得た。
【００７３】
次いで、上記の均一な混合物に次亜塩素酸ナトリウムとして１質量部及びラウリルジメチルアミンオキシド（ライオン・アクゾ社製）１質量部を添加して、更にマグネチックスターラーにより撹拌し、均一な洗浄剤組成物を調製した。
【００７４】
２．液垂試験
得られた洗浄剤組成物１ｇをアルミ板面上に載置し、このアルミ板を鉛直方向に直立保持した。組成物がアルミ平面上を流動して、１０ｃｍ下方に到達するまでの時間を測定した。
【００７５】
３．溶解試験
更に、洗浄剤組成物１００ｍｌを含む１００ｍｌ容のビーカーに、０．５ｇの毛髪束を１５ｃｍ浸漬させ、２０分後の毛髪の状態を観察した。結果を表１に示す。
【００７６】
なお、また、毛髪溶解試験の評価は以下の基準に従った。
【００７７】
＜評価基準＞
◎：毛髪が完全に溶解した。
○：毛髪が50％程度残っている。
△：毛髪が80％程度残っている。
×：毛髪が殆ど溶解していない。
【００７８】
［実施例２〜７、比較例１〜４］
表１に示す組成物を調製し実施例１と同様に試験を実施した。実施例１〜７及び比較例１〜４の結果を表１に示す。
【００７９】
【表１】
2020073693.tif 000004
【００８０】
※１：界面活性剤Ａはラウリルジメチルアミンオキシドを意味し、界面活性剤Ｂはヤシアルキルジメチルアミンオキシドを意味する。
※２：増粘剤Ｘはポリアクリル酸を意味し、増粘剤Ｙはポリアクリル酸ナトリウムを意味する。
【符号の説明】
【００８１】
１０、３０  洗浄剤組成物
１２  アルカリ金属水酸化物
１４  増粘剤
１６  界面活性剤
１８  次亜塩素酸アルカリ金属塩
【図１】
2020073693.tif 000005
【図２】
2020073693.tif 000006
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
アルカリ金属水酸化物と増粘剤とを水に分散又は溶解して、アルカリ金属水酸化物と増粘剤との水分散液又は水溶液を得る分散又は溶解工程と、
前記水分散液又は水溶液に、次亜塩素酸アルカリ金属塩及び界面活性剤を添加する添加工程と、
を有する水処理施設を洗浄するための洗浄剤組成物の製造方法。
【請求項２】
アルカリ金属水酸化物と次亜塩素酸アルカリ金属塩と増粘剤とを水に分散又は溶解して、水分散液又は水溶液を得る分散又は溶解工程と、
前記水分散液又は水溶液に、界面活性剤を添加する添加工程と、
を有する水処理施設を洗浄するための洗浄剤組成物の製造方法。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２５
【補正方法】変更
【補正の内容】
【００２５】
上記目的は、アルカリ金属水酸化物と増粘剤とを水に分散又は溶解して、アルカリ金属水酸化物と増粘剤との水分散液又は水溶液を得る分散又は溶解工程と、前記水分散液又は水溶液に、次亜塩素酸アルカリ金属塩及び界面活性剤を添加する添加工程と、を有する水処理施設を洗浄するための洗浄剤組成物の製造方法によって達成される。
【手続補正１１】
【補正対象書類名】明細書
【補正対象項目名】００２７
【補正方法】変更
【補正の内容】
【００２７】
そのうえ、上記目的は、アルカリ金属水酸化物と次亜塩素酸アルカリ金属塩と増粘剤とを水に分散又は溶解して、水分散液又は水溶液を得る分散又は溶解工程と、前記水分散液又は水溶液に、界面活性剤を添加する添加工程と、を有する水処理施設を洗浄するための洗浄剤組成物の製造方法によっても達成される。
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００３１
【補正方法】削除
【補正の内容】